【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
開位置と閉位置との間で装置本体に対して移動可能に設けられた第１の部材と、
この第１の部材に対して移動可能であるとともに前記装置本体に対して移動可能に設けられた第２の部材と、
前記第１の部材と前記第２の部材とが接触することによる摩擦力で前記第１の部材の移動速度を制限する制限手段と、
を有し、
前記制限手段は、前記第１の部材の移動が予め定められた量未満である場合よりも、予め定められた量以上である場合のほうが、前記第１の部材と前記第２部材との摩擦力が大きい開閉装置。
【請求項２】
前記第１の部材及び前記第２の部材は、前記装置本体に対して異なる支点を中心に回転する請求項１記載の開閉装置。
【請求項３】
前記制限手段は、前記第１の部材の移動に応じて、前記第１の部材と前記第２の部材との摩擦力が異なる請求項１又は２に記載の開閉装置。
【請求項４】
前記制限手段は、前記第１の部材の移動が予め定められた量未満である場合に、前記第１の部材の移動を制限しない請求項１乃至３いずれかに記載の開閉装置。
【請求項５】
前記制限手段は、前記第１の部材及び前記第２の部材の一方に設けられた突出部と他方に設けられた溝部とが係合することで構成された請求項１乃至４いずれかに記載の開閉装置。
【請求項６】
前記第１の部材が閉位置に位置する際に、前記突出部と前記溝部とが接触しない請求項５記載の開閉装置。
【請求項７】
前記溝部は、
第１の溝部と、
この第１の溝部に続いて設けられ第１の溝部と形状の異なる第２の溝部と、
を有し、
前記第１の部材が開位置から閉位置に移動する際に、前記第１の部材の移動が予め定められた量未満である場合に、前記突出部は前記第１の溝部に位置し、
前記第１の部材が予め定められた量以上移動した場合に、前記突出部が前記第２の溝部を移動することで、前記第１の部材の移動が制限される請求項５又は６記載の開閉装置。
【請求項８】
請求項１乃至７いずれか記載の開閉装置を備えた画像形成装置。
【手続補正２】
【補正対象書類名】明細書
【補正対象項目名】０００４
【補正方法】変更
【補正の内容】
【０００４】
本発明の目的は、装置本体に設けられた第１の部材の移動速度を制限することを可能とする開閉装置及び画像形成装置を提供することにある。
【手続補正３】
【補正対象書類名】明細書
【補正対象項目名】０００５
【補正方法】変更
【補正の内容】
【０００５】
請求項１に係る本発明は、開位置と閉位置との間で装置本体に対して移動可能に設けられた第１の部材と、この第１の部材に対して移動可能であるとともに前記装置本体に対して移動可能に設けられた第２の部材と、前記第１の部材と前記第２の部材とが接触することによる摩擦力で前記第１の部材の移動速度を制限する制限手段と、を有し、前記制限手段は、前記第１の部材の移動が予め定められた量未満である場合よりも、予め定められた量以上である場合のほうが、前記第１の部材と前記第２部材との摩擦力が大きい開閉装置である。
【手続補正４】
【補正対象書類名】明細書
【補正対象項目名】０００６
【補正方法】変更
【補正の内容】
【０００６】
請求項２に係る本発明は、前記第１の部材及び前記第２の部材は、前記装置本体に対して異なる支点を中心に回転する請求項１記載の開閉装置である。
【手続補正５】
【補正対象書類名】明細書
【補正対象項目名】０００７
【補正方法】変更
【補正の内容】
【０００７】
請求項３に係る本発明は、前記制限手段は、前記第１の部材の移動に応じて、前記第１の部材と前記第２の部材との摩擦力が異なる請求項１又は２に記載の開閉装置である。
【手続補正６】
【補正対象書類名】明細書
【補正対象項目名】０００８
【補正方法】変更
【補正の内容】
【０００８】
請求項４に係る本発明は、前記制限手段は、前記第１の部材の移動が予め定められた量未満である場合に、前記第１の部材の移動を制限しない請求項１乃至３いずれかに記載の開閉装置である。
【手続補正７】
【補正対象書類名】明細書
【補正対象項目名】０００９
【補正方法】変更
【補正の内容】
【０００９】
請求項５に係る本発明は、前記制限手段は、前記第１の部材及び前記第２の部材の一方に設けられた突出部と他方に設けられた溝部とが係合することで構成された請求項１乃至４のいずれかに記載の開閉装置である。
【手続補正８】
【補正対象書類名】明細書
【補正対象項目名】００１０
【補正方法】変更
【補正の内容】
【００１０】
請求項６に係る本発明は、前記第１の部材が閉位置に位置する際に、前記突出部と前記溝部とが接触しない請求項５記載の開閉装置である。
【手続補正９】
【補正対象書類名】明細書
【補正対象項目名】００１１
【補正方法】変更
【補正の内容】
【００１１】
請求項７に係る本発明は、前記溝部は、第１の溝部と、この第１の溝部に続いて設けられ第１の溝部と形状の異なる第２の溝部と、を有し、前記第１の部材が開位置から閉位置に移動する際に、前記第１の部材の移動が予め定められた量未満である場合に、前記突出部は前記第１の溝部に位置し、前記第１の部材が予め定められた量以上移動した場合に、前記突出部が前記第２の溝部を移動することで、前記第１の部材の移動が制限される請求項５又は６記載の開閉装置である。
【手続補正１０】
【補正対象書類名】明細書
【補正対象項目名】００１２
【補正方法】変更
【補正の内容】
【００１２】
請求項８に係る本発明は、請求項１乃至７のいずれかに記載の開閉装置を備えた画像形成装置である。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
本発明によれば、第１の部材の移動速度の制限をすることができる開閉装置及び画像形成装置を提供することができる。
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】